(57)【要約】【課題】陳列棚などの什器に容易に取付け可能で、かつ、安価な照明装置を提供する。【解決手段】本発明に係わる照明装置１は、一枚のシートが折り畳みされることで形成されるシート状の本体部１０とＰＯＰパネル部１１を有する。本体部１０には、ＬＥＤ１２０が実装されたフィルム基板１２１が挟み込まれ、更に、本体部１０の天パネル１００には、棚板２０の前垂下部材２００とチャネル部材２０１で形成されるコ字形空間２０２に収まるボックス１０３が形成され、更に、棚板２０に照明装置１を固定するためのマグネット１０４ａ、ｂ、ｃが設けられる。【選択図】図３
2010080089.tif 000002
【特許請求の範囲】
【請求項１】
什器の棚板に設置される照明装置であって、一枚のシートが折り畳みされることで形成されるシート状の本体部と、前記本体部に挟み込まれた第１の光源を備え、前記本体部の天パネルには、前記棚板の前垂下部材とチャネル部材で形成されるコ字形空間に収まるボックスが形成され、更に、前記天パネルには、前記棚板の前垂下部材、コ字形空間の上面およびチャネル部材につくマグネットが設けられていることを特徴とする照明装置。
【請求項２】
請求項１に記載の照明装置であって、前記照明装置には、前記照明装置の前記本体部と連接し、商品に係わる文字や絵柄が印刷されるＰＯＰパネル部が備えられていることを特徴とする照明装置。
【請求項３】
請求項１または請求項２に記載の照明装置であって、前記照明装置は、前記マグネットとして、前記前垂下部材につく第１のマグネット、前記コ字形空間につく第２のマグネット、および、前記チャネル部材につく第３のマグネットを備えていることを特徴とする照明装置。
【請求項４】
請求項３に記載の照明装置であって、前記第１のマグネットおよび前記第２のマグネットの形状を、前記棚板の幅方向が長手の長方形とし、前記第３のマグネットの形状を、前記棚板の奥行き方向が長手の長方形とすることを特徴とする照明装置。
【請求項５】
請求項１から請求項４のいずれか一つに記載の照明装置であって、前記照明装置には、人体を検出する照度センサと、前記照度センサのセンシング信号に従い、前記第１の光源をＯｎ／Ｏｆｆする回路が備えられていることを特徴とする照明装置。
【請求項６】
請求項１から請求項５のいずれか一つに記載の照明装置であって、前記照明装置に備えられた前記第１の光源は、ＬＥＤが点滅するＬＥＤイルミネーションであることを特徴とする照明装置。
【請求項７】
請求項１から請求項６のいずれか一つに記載の照明装置であって、前記棚板の前面に対して側壁となり、前記ＰＯＰパネル部と連接する側壁パネル部と、前記棚板の上側を照射する第２の光源を備え、前記第２の光源は前記側壁パネル部に備えられていることを特徴とする照明装置。
【請求項８】
請求項１から請求項７に記載の照明装置であって、前記ＰＯＰパネル部はラウンドシェープに形成されていることを特徴とする照明装置。
【発明の詳細な説明】
【技術分野】
【０００１】
本発明は、陳列棚などの什器に設置する照明装置に係わる。
【背景技術】
【０００２】
コンビニエンスストアや大型店などの店舗では数多くの商品を効率良く陳列するために、什器（例えば、陳列棚）を用いて商品を陳列することが一般的であるが、陳列棚の下の方に陳列された商品には、天井に設置された照明の光が届きにくく、陳列棚の下の方に陳列された商品を消費者に十分にアピールすることができなかった。
【０００３】
そこで、近年では、店舗の雰囲気をより華やかにする効果も含め、照明が備えられた什器も開発されているが、コンビニエンスストアや大型店などの店舗では全ての什器を更新することはコスト的に難しく、店舗では、既存の什器に取り付け可能な照明装置に対する要求がある。
【０００４】
既存の什器に取り付け可能な照明装置に係わる発明としては、例えば、長手方向に延びる断面コ字状の本体の中央板状部下面あるいは下方に長手方向に発行ダイオードを並べ、中央板状部の上面に薄板状の磁石を設けることで、鉄製の棚板直下を照明するように、既存の什器に取り付け可能な照明装置が特許文献１で開示されている。
【０００５】
【特許文献１】特開２００７−２６７２０号公報
【発明の開示】
【発明が解決しようとする課題】
【０００６】
しかしながら、特許文献１で開示されているような照明装置の本体は、アルミなどの金属で成型されているため安価ではなく、また、既存の什器に既に商品が陳列されている場合は、該商品のすべて或いは一部を取り出してから、既存の什器に照明装置を設置しなければならず、照明装置を設置する作業負荷も大きくなってしまう問題がある。
【０００７】
そこで、本発明は、既存の什器に取り付け可能な照明装置であって、照明装置を比較的に安価に製造することができ、更に、既存の什器に陳列されている商品を取り出す作業をすることなく、什器に設置可能な照明装置を提供することを目的とする。
【課題を解決するための手段】
【０００８】
上述した課題を解決する第１の発明は、什器の棚板に設置される照明装置であって、一枚のシートが折り畳みされることで形成されるシート状の本体部と、前記本体部に挟み込まれた第１の光源を備え、前記本体部の天パネルには、前記棚板の前垂下部材とチャネル部材で形成されるコ字形空間に収まるボックスが形成され、更に、前記天パネルには、前記棚板の前垂下部材、コ字形空間の上面およびチャネル部材につくマグネットが設けられていることを特徴とする照明装置である。
【０００９】
上述した第１の発明によれば、画用紙程度の厚みの用紙や、卵パックに利用されるＰＥＴ材などの母材でできた１枚のシートを折り畳み前記本体部を形成することで、前記照明装置の製造コストを安価にでき、更に、前記照明装置に柔軟性を持たせることができる。
【００１０】
商品が既に什器に陳列され、該商品と前記棚板の隙間が前記照明装置の高さよりも短い場合でも、前記照明装置に柔軟性があると、前記照明装置を変形させながら、該商品と前記棚板の隙間に前記照明装置を入れることができ、陳列されている該商品を降ろす作業を実行することなく、前記棚板に前記照明装置を設置することができるようになる。
【００１１】
なお、前記照明装置の前記第１の光源としては、小発熱や小消費電力からしてＬＥＤが好適である。
【００１２】
更に、第２の発明は、第１の発明に記載の照明装置であって、前記照明装置には、前記照明装置の前記本体部と連接し、商品に係わる文字や絵柄が印刷されるＰＯＰパネル部が備えられていることを特徴とする照明装置である。
【００１３】
上述した第２の発明によれば、前記第１の光源に加え、広告が印刷される前記ＰＯＰパネル部を前記照明装置が備えることで、前記棚板に設置される商品をより消費者にアピールできる。
【００１４】
更に、第３の発明は、第１の発明または第２の発明に記載の照明装置であって、前記照明装置は、前記マグネットとして、前記前垂下部材につく第１のマグネット、前記コ字形空間につく第２のマグネット、および、前記チャネル部材につく第３のマグネットを備えていることを特徴とする照明装置である。
【００１５】
更に、第４の発明は、第３の発明に記載の照明装置であって、前記第１のマグネットおよび前記第２のマグネットの形状を、前記棚板の幅方向が長手の長方形とし、前記第３のマグネットの形状を、前記棚板の奥行き方向が長手の長方形とすることを特徴とする照明装置である。
【００１６】
上述した第３の発明によれば、前記照明装置が、前記マグネットとして、前記第１のマグネット、前記第２のマグネット、および、前記第３のマグネットを備えることで、前記天パネルの各面が前記棚板に固定されることになる。
【００１７】
更に、第４の発明によれば、前記照明装置を設置する前記棚板の奥行き寸法が変わると、前記棚板のチャネル部材と前記照明装置の相対位置が変わるが、前記棚板のチャネル部材につく前記第３のマグネットの形状を、前記棚板の奥行き方向が長手の長方形とすることで、前記棚板のチャネル部材と前記照明装置の相対位置が変わっても、前記照明装置を前記棚板のチャネル部材につくようにすることができる。
【００１８】
なお、前記第１のマグネットおよび前記第２のマグネットの形状を、幅方向が長手の長方形とすることで、前記照明装置と前記棚板との固定強度を高められる。
【００１９】
更に、第５の発明は、第１の発明から第４の発明のいずれか一つに記載の照明装置であって、前記照明装置には、照度を検出する照度センサと、前記照度センサのセンシング信号に従い、前記第１の光源をＯｎ／Ｏｆｆする回路が備えられていることを特徴とする照明装置である。
【００２０】
上述した第５の発明によれば、前記照明装置に前記照度センサを備えさせ、前記什器が設置されている部屋が暗くなったときに前記第１の光源をＯｆｆにし、該部屋が明るくなったときに前記第１の光源をＯｎにすることで、前記什器が設置されている店舗の営業時間に合わせて、前記第１の光源をＯｎ／Ｏｆｆすることができ、前記照明装置に要する電力を抑えることができるようになる。
【００２１】
更に、第６の発明は、第１の発明から第５の発明のいずれか一つに記載の照明装置であって、前記照明装置に備えられた前記第１の光源は、ＬＥＤが点滅するＬＥＤイルミネーションであることを特徴とする照明装置である。
【００２２】
上述した第６の発明によれば、前記第１の光源をＬＥＤが点滅するＬＥＤイルミネーションとすることで、消費者に商品をよりアピールすることができるようになる。
【００２３】
更に、第７の発明は、第１の発明から第６の発明のいずれか一つに記載の照明装置であって、前記棚板の前面に対して側壁となり、前記ＰＯＰパネル部と連接する側壁パネル部と、前記棚板の上側を照射する第２の光源を備え、前記第２の光源は前記側壁パネル部に備えられていることを特徴とする照明装置である。
【００２４】
上述した第７の発明によれば、前記照明装置が前記側壁パネル部と前記第２の光源を備えることで、一つの前記照明装置で、前記照明装置が設置される前記棚板の上側と下側に光を照射することができるようになる。
【００２５】
更に、第８の発明は、第１の発明から第７の発明に記載の照明装置であって、前記ＰＯＰパネル部はラウンドシェープに形成されていることを特徴とする照明装置である。
【００２６】
上述した第８の発明によれば、ラウンドシェープに形成した前記ＰＯＰパネル部を前記照明装置とすることで、消費者に商品をよりアピールすることができるようになる。
【発明の効果】
【００２７】
このように、上述した本発明によれば、既存の什器に取り付け可能な照明装置であって、照明装置を比較的に安価に製造することができ、更に、既存の什器に陳列されている商品を取り出す作業をすることなく、什器に設置可能な照明装置を提供できる。
【発明を実施するための最良の形態】
【００２８】
ここから、本発明に係わる照明装置１について、図を参照しながら詳細に説明する。本発明に係わる照明装置１は、様々な種類の什器に利用できるが、ここでは、什器を陳列棚２としたときの実施形態について説明する。
【００２９】
図１は、本発明に係わる照明装置１の効果を説明する第１図である。図１で図示した陳列棚２は２つの棚板２０a、ｂによって、上段、中段および下段の合計３段に区切られ、上から２段目の棚板２０ｂの裏側に、上から２段目の棚板２０の下を照らす光源を備えた照明装置１が設置されている。
【００３０】
なお、今後、それぞれの棚板２０を区別して表記する必要がないとき、単に棚板２０と記すことにする。
【００３１】
図１に図示したように、本発明に係わる照明装置１を、陳列棚２の棚板２０ｂに、商品３を陳列する横間隔に合わせて設置することで、天井に設置される照明の光が届きにくい陳列棚２の下段に陳列された商品３に対して、十分な光を当てることができ、陳列棚２の下段に陳列された商品３をより消費者にアピールできるようになる。
【００３２】
また、図１で図示した照明装置１は、照明装置１が設置される棚板２０ｂの下を照らす光源に加え、広告が印刷されるＰＯＰパネル部を備え、陳列棚２に設置される商品３をより消費者にアピールできる工夫が施されている。
【００３３】
様々なメーカから陳列棚２が市販されているが、陳列棚２の構造や寸法には共通している箇所があるため、商品３を並べる横間隔に合わせて照明装置１を設計することで、汎用的に利用可能な照明装置１の製作は可能である。
【００３４】
また、当然のことながら、照明装置１を設置する陳列棚２の仕様に合わせて、照明装置１を特注で設計することも可能である。照明装置１を設置する陳列棚２の仕様に合わせて特注に設計すると、照明装置１は高価になると思われるかも知れないが、これから述べるように、照明装置１は、菓子箱と同じように、図４で図示したシート１ａが折りたたまれて成型されるため、照明装置１の仕様変更は容易であり、かつ、照明装置１を安価に製造できる。
【００３５】
図２は、一般的な陳列棚２の構造を説明する図で、図２の左図は陳列棚２の断面図で、図２の右図は陳列棚２の正面図である。図２で図示した陳列棚２の構造は、コンビエンスストアなどで広く普及されている棚の構造である。
【００３６】
図２の左図に図示したように、陳列棚２に設けられる棚板２０の裏面の手前に前垂下部材２００が延設され、更に、陳列棚２に設けられる棚板２０の裏面の中央にチャネル部材２０１が延設され、前垂下部材２００とチャネル部材２０１によって、棚板２０の裏面にはコ字形空間２０２が形成されている。また、棚板２０の両端には、棚板２０を支える側板２０３が設けられている。
【００３７】
図３は、図２で説明した陳列棚２の構造に合わせて設計された照明装置１を説明する図で、図４は、照明装置１の製造に利用されるシート１ａを説明する図である。
【００３８】
図３（ａ）は、照明装置１の斜視図、図３（ｂ）は、照明装置１の断面図で、本発明に係わる照明装置１は、天パネル１００、内パネル１０１および地パネル１０２とからなる本体部１０と、本体部１０と連接するＰＯＰパネル部１１とから構成される。
【００３９】
本発明に係わる照明装置１の少なくとも本体部１０は、アルミなどの金属成型ではなく、図４で図示したシート１ａが折りたたまれて形成される装置で、図４で図示したシート１ａが折りたたまれるとき、ＬＥＤ１２０が実装されたフィルム基板１２１が地パネル１０２と内パネル１０２間に挟み込まれる。
【００４０】
また、照明装置１の天パネル１００には、棚板２０のコ字形空間２０２に収まるボックス１０３が形成され、ＬＥＤ１２０に電力を供給する電池ボックス１２３がこのボックス１０３の内部に収められる。
【００４１】
本実施形態では、ＬＥＤ１２０に電力を供給するための電池ボックス１２３を照明装置１は内蔵しているが、ＬＥＤ１２０に電力を供給する手段は電池ボックス１２３に限らず、ＬＥＤ１２０に電力を供給するコンセントを照明装置１に設けさせてもよい。
【００４２】
照明装置１の本体部１０の幅方向の長さは、一つの商品３を陳列するときの横間隔の長さで、例えば、２００ｍｍで、奥行き方向の長さは、図２で図示した長さＤよりも短く設計され、例えば、２００ｍｍである。
【００４３】
照明装置１の天パネル１００の奥面１００aの奥行き方向の長さは、例えば、１１５ｍｍで、手前面１００ｂの奥行き方向の長さは、棚板２０の前垂下部材２００の幅ｄとほぼ同一に設計され、例えば、２５ｍｍである。
【００４４】
照明装置１の天パネル１００に形成されるボックス１０３の奥行き方向の長さは、例えば、６０ｍｍで、ボックス１０３の高さは、図２で図示した長さＨに合わせて設計され、例えば、３０ｍｍである。
【００４５】
照明装置１が棚板２０に取り付けために、照明装置１の天パネル１００の奥面１００ａには、奥行き方向が長手の長方形のマグネット１０４ａが設けられ、天パネル１００のボックス１０３の上面および天地パネル１００の手前面１００ｂには、幅方向が長手の長方形のマグネット１０４ｂ、ｃが設けられている。
【００４６】
図３（ｂ）に図示したように、照明装置１が棚板２０に取り付けられたとき、マグネット１０４ａは棚板２０のチャネル部材２０１の下面と、マグネット１０４ｂは棚板２０のコ字形空間２０２の上面と、マグネット１０４ｃは棚板２０の前垂下部材２００の下面とそれぞれつき、照明装置１は棚板２０に固定される。
【００４７】
照明装置１の天パネル１００の奥面１００ａに設けられるマグネット１０４ａの形状を奥行き方向が長手の長方形としているのは、照明装置１が取り付けられる棚２の先端からチャネル部材２０１までの長さが異なっていても、マグネット１０４ａとチャネル部材２０１がつくようにするためである。
【００４８】
図３（ｂ）からもわかるように、照明装置１は、棚板２０の先端を基準として取り付けられるため、マグネット１０４ａの形状を奥行き方向が長手の長方形とすることで、棚２の先端からチャネル部材２０１までの長さが異なっていても、マグネット１００ａが棚板２０のチャネル部材２０１につくようになる。
【００４９】
なお、照明装置１の天パネル１００のボックス１０３の上面および手間面１００ｂに設けられるマグネット１０４ｂ、ｃの形状を幅方向が長手の長方形とすることで、マグネット１０４ｂ、ｃのつく面積を広く取り、照明装置１と棚板２０との固定強度を高めている。
【００５０】
ここから、図４で図示したシート１ａを利用して照明装置１を形成する内容について説明する。図４で図示したように、照明装置１を形成するために必要な部品は、例えば、画用紙程度の厚みの用紙や、卵パックに利用されるＰＥＴ材など、折りたたみ可能な材質でできたシート１ａと、棚板２０に照明装置１を取り付けるためのマグネット１０４ａ、ｂおよびｃと、そして、複数のＬＥＤ１２０を有する光源回路１２である。
【００５１】
図４で図示したシート１ａは、例えば、画用紙程度の厚みの用紙や、卵パックに利用されるＰＥＴ材などの母材に、ＰＯＰパネル部１１の箇所に広告が印刷された後、シート１ａの形状に母材が打ち抜かれることで製造される。
【００５２】
シート１ａの形状に母材が打ち抜かれるとき、打ち抜きと同時に、折り線・ミシン線と、ＬＥＤ１２０を嵌め込むためのパンチ穴１０２ａが母材に加工される。そして、所定の形状に打ち抜かれたシート１ａの所定位置に、定められた形状のマグネット１０４ａ、ｂおよびｃを両面テープなどで貼り、更に、ボックス１０３を形成するときに利用する両面テープ１０５を貼ることで、図４で図示したシート１ａが製造される。なお、図４においては、折り線は細い実線で、ミシン線は細い点線で図示している。
【００５３】
複数のＬＥＤ１２０を有する光源回路１２は、複数のＬＥＤ１２０（ここでは３つ）が配列されたフィルム基板１２１（ここでは、３枚）と、それぞれのフィルム基板１２１とジョイント１２２を介して配線された電池ボックス１２３から構成され、電池ボックス１２３にはＯｎ／Ｏｆｆのスイッチが備えられている。
【００５４】
図５は、照明装置１を形成する内容を説明する図である。照明装置１を形成するとき、まず、図４で図示したシート１ａを、地パネル１０２と内パネル１０１間の折り線に沿って内側に折りたたみする（図５（ａ））。なお、該折り線に沿って内側に折りたたみする時、パンチ穴１０２ａに、フィルム基板１２１に実装されたＬＥＤ１２０を嵌め込み、地パネル１０２と内パネル１０１の間に光源回路１２のフィルム基板１２１を挟み込む。
【００５５】
そして、該折り線に沿って内側に折りたたみされたシート１ａを、内パネル１０１と天パネル１００間の折り線に沿って外側に折りたたみし（図５（ｂ））、更に、天パネル１００のミシン目に沿って切れ目を入れ、照明装置１の天パネルのボックス１０３を形成する（図５（ｃ））。なお、照明装置１のボックス１０３を形成するとき、光源回路１２の電池ボックス１２３が、ボックス１０３の内部に収納される。
【００５６】
図６は、本発明に係わる照明装置１の効果を説明する第２図である。
【００５７】
上述したように、画用紙程度の厚みの用紙や、卵パックに利用されるＰＥＴ材などの母材でできたシート１ａを折りたたみ照明装置１を成型することで、照明装置１の本体に柔軟性を持たせることができる。
【００５８】
商品３が既に陳列棚２に陳列され、商品３と棚板２０の隙間が照明装置１の本体の高さよりも短い場合でも、照明装置１の本体に柔軟性があると、図６に図示した用に、照明装置１の本体を変形させながら、商品３と棚板２０の隙間に照明装置１を入れることができ、陳列されている商品３を降ろす作業を実行することなく、棚板２０に照明装置１を設置することができるようになる。
【００５９】
逆に、照明装置１の本体に剛性があると、照明装置１の本体は変形しないため、棚板２０に照明装置１を設置するときに、陳列されている商品３のすべて或いは一部を陳列棚２から降ろす作業が必要になってしまう。
【００６０】
なお、本発明は、これまで説明した実施の形態に限定されることなく、種々の変形や変更が可能である。ここから、各変形例について、これまで説明した照明装置１との差についてする。
【００６１】
例えば、照明装置に実装される電気系統やＰＯＰパネル部の形状を変更することで、新たな効果を照明装置に持たせることができる。
【００６２】
（変形例１）
変形例１に係わる照明装置は照度センサを備え、照度センサのセンシング信号に応じて、照明装置の光源のスイッチのＯｎ／Ｏｆｆを行う形態で、陳列棚２が設置されている店舗の照明が落ちたときに光源（例えば、ＬＥＤ１２０）をＯｆｆにし、該照明が入ったときに光源をＯｎにすることで、前記什器が設置されている店舗の営業時間に合わせて、光源をＯｎ／Ｏｆｆすることができ、照明装置４の省電力化が図られる。
【００６３】
図７は、変形例１の照明装置４を説明する図で、図７で図示した照明装置４のＰＯＰパネル部４１には照度センサ４０が備えられている。照度センサ４０を利用して、照明をＯｎ／Ｏｆｆする技術は広く普及しているため詳細な説明は省くが、この照度センサ４０は、照明装置４に内蔵される光源回路に接続され、該光源回路には、照度センサ４０から出力されるセンシング信号に従い、光源（例えば、図４の光源回路１２のフィルム基板１２１）へ供給する電力をＯｎ／Ｏｆｆする回路が内蔵される。
【００６４】
なお、変形例１において、光源回路にタイマーを備えさせれば、陳列棚２が設置されている店舗の照明が落ちてから一定時間経過後（例えば、１時間後）に光源（例えば、ＬＥＤ１２０）をＯｆｆにし、該照明が入ってから一定時間経過後（例えば、１時間後）に光源をＯｎにすることができるようになる。
【００６５】
（変形例２）
変形例２は、照明装置の照明効果をより高めるために、照明装置に備えられる光源を、ＬＥＤが点滅するＬＥＤイルミネーションとした形態で、例えば、照明装置１に備えられるＬＥＤ１２０を点滅させることで、陳列棚２の照明効果を高め、消費者により商品３をアピールすることができるようなる。
【００６６】
ＬＥＤが点滅するＬＥＤイルミネーションは、街頭のショウアップに広く普及しているため詳細な説明は省くが、例えば、照明装置１に備えられた光源回路１２のフィルム基板１２１に、ＬＥＤ１２０を点滅させるための回路を実装することで実現される。
【００６７】
なお、照明装置に備えられる光源を、ＬＥＤが点滅するＬＥＤイルミネーションとした形態においても、変形例１のように、照明装置に照度センサを備えさせることもできる。
【００６８】
（変形例３）
変形例３は、新たなる照明効果を得るために、棚板２０の上側を照らす光源を照明装置が備えた形態である。棚板２０の上側を照射する光源を新たに照明装置に設けることで、一台の照明装置で、照明装置が設置された棚板２０の下側のみでなく、該棚板２０の上側をも照射することができるようになる。
【００６９】
図８は、変形例３の照明装置５を説明する図である。図８（ａ）は、棚板２０の上側に光を照射する照明装置５の斜視図、図８（ｂ）は、棚板２０の上側に光を照射する照明装置５の断面図である。
【００７０】
図８（ａ）で図示した照明装置５には、照明装置１が設置される棚板２０の上側を照らす光源（例えば、ＬＥＤ）が実装される側壁パネル部５０が設けられ、側壁パネル部５０にＰＯＰパネル部５１が連接されている。
【００７１】
図８（ｂ）に図示したように、側壁パネル部５０の裏面にはマグネット５２が設けられ、棚板２０の前垂下部材２００の下面にマグネット５２がつくことで、側壁パネル部５０が高さ方向にほぼ垂直に設置された状態で、前垂下部材２００に固定される。
【００７２】
図９は、変形例３の照明装置５の効果を説明する図である。図９で図示したように、棚板２０の上側・下側に光を照射する光源を設けた照明装置５を、陳列棚２の棚板２０ｂに設置することで、陳列棚２の下段に陳列された商品３に加え、陳列棚２の中段に陳列された商品３をも照らすことができるようになる。
【００７３】
図１０は、変形例３に係わる照明装置５の形成に利用されるシート５ａと光源回路５３を説明する図である。図１０で図示したシート５ａにおいて、棚板２０の上側を照らすＬＥＤ５４を有するフィルム基板５５を実装するための側壁パネル部５０が、照明装置５の天パネル５６とＰＯＰパネル部５１間に設けられ、この側壁パネル部５０には、棚板２０の前垂下部材２００とつくマグネット５２が配置され、このマグネット５２の形状は、幅方向が長手の長方形である。更に、側壁パネル部５０には、ＬＥＤ５４を嵌め込むためのパンチ穴５０ａが開けられている。
【００７４】
変形例１の光源回路５３には、棚板２０の上側を照らすためのフィルム基板５５に加え、棚板２０の下側を照らすためのＬＥＤ５８が実装されたフィルム基板５７を有し、これらのフィルム基板５５、５７が、Ｏｎ／Ｏｆｆのスイッチを備えた電池ボックス５９に接続されている。
【００７５】
変形例３の照明装置５は、図１０のシート５ａが折り畳みされて成型され、詳しくは、図５を用いて説明した手順で、図１０のシート５ａを成型した後、天パネル５６と側壁パネル部５０間の折り線に沿って側壁パネル部５０を内側に折り、更に、側壁パネル部５０とＰＯＰパネル部５６間の折り線に沿ってＰＯＰパネル部５６を外側に折ることで成型される。
【００７６】
なお、当然のことながら、変形例３の照明装置５においても、照明装置５に照度センサを備えさせることもできるし、ＬＥＤが点滅するＬＥＤイルミネーションに光源を変更することもできる。
【００７７】
（変形例４）
変形例４は、新たなるアピール効果を得るために、照明装置のＰＯＰパネル部の形状をラウンドシェープにした形態である。
【００７８】
図１１は、変形例４に係わる照明装置６の効果を説明する図である。照明装置６のＰＯＰパネル部６０の形状はラウンドシェープに形成され、消費者により商品３をアピールすることができるようになる。
【００７９】
図１２は、変形例４の照明装置６を説明する図で、図１２（ａ）は、照明装置６の斜視図、図１２（ｂ）は、照明装置６の断面図である。図１２（ａ）および図１２（ｂ）を参照すればわかるように、ＰＯＰパネル部６０がラウンドシェープに成型されている以外は、図８を用いて説明した照明装置５と相違点はない。
【００８０】
また、変形例３に係わる照明装置６を成型するときに利用されるシートは、図１０で図示したシート５ａのＰＯＰパネル部５６の箇所が、ラウンドシェープに成型するために加工されたシートになる。
【００８１】
なお、当然のことながら、変形例３の照明装置６においても、照明装置６に照度センサを備えさせることもできるし、ＬＥＤを点滅させるＬＥＤイルミネーションに光源をすることもできる。また、図１で図示した照明装置１のＰＯＰパネル部１１をラウンドシェープに形成した形態も考えられる。
【図面の簡単な説明】
【００８２】
【図１】照明装置の効果を説明する第１図。
【図２】陳列棚の構造を説明する図。
【図３】照明装置を説明する図。
【図４】照明装置の製造に利用されるシートを説明する図。
【図５】照明装置を形成する内容を説明する図。
【図６】照明装置の効果を説明する第２図。
【図７】変形例１の照明装置を説明する図。
【図８】変形例３の照明装置を説明する図。
【図９】変形例３の照明装置の効果を説明する図。
【図１０】変形例３のシートと光源回路を説明する図。
【図１１】変形例４に係わる照明装置の効果を説明する図。
【図１２】変形例４の照明装置を説明する図。
【符号の説明】
【００８３】
１、４、５，６  照明装置
１０  本体部
１００  天パネル
１０１  内パネル
１０２  地パネル
１０３  ボックス
１０４ａ、ｂ、ｃ  マグネット
１１  ＰＯＰパネル部
１２  光源回路
１２０  ＬＥＤ
１２１  フィルム基板
１２３  電池ボックス
２  陳列棚
２０  棚板
２００  前垂下部材
２０１  チャネル部材
２０２  コ字形空間
４０  照度センサ
５０  側壁パネル部
５４  棚板の上側を照らすＬＥＤ
５８  棚板の下側を照らすＬＥＤ
６０  ラウンドシェープの形成されたＰＯＰパネル部
【図１】
2010080089.tif 000003
【図２】
2010080089.tif 000004
【図３】
2010080089.tif 000005
【図４】
2010080089.tif 000006
【図５】
2010080089.tif 000007
【図６】
2010080089.tif 000008
【図７】
2010080089.tif 000009
【図８】
2010080089.tif 000010
【図９】
2010080089.tif 000011
【図１０】
2010080089.tif 000012
【図１１】
2010080089.tif 000013
【図１２】
2010080089.tif 000014